(57)【要約】【課題】  揺動型肥料散布機において、高水分の肥料や有機質肥料等を含む多種の肥料を確実に散布部へ供給できるとともに、ホッパ内で複数の肥料を混合可能なアジテータを有した肥料散布機を提供する。【解決手段】  水平方向に設けた入力軸を回転させ、これにより入力軸延長線上に垂直方向に直交する揺動中心を設けて揺動する揺動装置を構成し、この揺動装置に設けた散布筒により肥料を散布する。前記揺動装置上方のホッパ内のアジテータに撹拌羽根を設け、このアジテータ回転軸を揺動装置の揺動中心と同一にし、揺動装置とアジテータをラチェット機構で連動させて揺動運動を回転運動に変換しアジテータを回転させ肥料を撹拌混合する。【選択図】      図１
2005278493.tif 000002
【特許請求の範囲】
【請求項１】
散布する肥料を収容するホッパを有し、このホッパの底部から散布筒基部側に肥料を落下させ、散布筒基部側を中心に散布筒を水平方向に往復揺動させ、落下した肥料を散布筒の他方端から投出して散布する揺動型肥料散布機において、前記散布筒の往復揺動装置は、トラクタからの動力により回転可能な水平方向の入力軸と、この入力軸に固着したフライホイールと、前記入力軸と直交する垂直方向を軸中心として水平方向に揺動運動をする揺動体と、この揺動体に枢支され、かつ前記フライホイールに偏心して設けたベアリングを介してフライホイールに支承された結合部材より成る回転運動を揺動運動に変換する装置で構成し、前記揺動体の揺動軸中心上に回転中心があって、肥料を収容するホッパ内に撹拌羽根を有したアジテータを駆動するアジテータ駆動シャフトを設け、このアジテータ駆動シャフトの下方外周に歯を設けたラチェットホイールに、前記揺動体側に設けたラチェット爪を係合させ作動させるラチェット機構を、ホッパからの肥料落下調節するシャッ板の下方にあって、シャッタ落下口より落下した肥料を散布筒に送り込む散布筒取付ベースのサブホッパ内に設けて揺動体とアジテータ駆動シャフトを連動させ、揺動体の揺動運動を一方向の回転運動に変えるとともにアジテータを前記入力軸の回転数より減速し回転させる肥料散布機。
【発明の詳細な説明】
【技術分野】
【０００１】
本発明は、ホッパに収容した肥料を散布筒に供給し、散布筒を水平往復揺動させることにより肥料を投出し散布する揺動型肥料散布機のホッパ内の撹拌駆動装置に関するものである。
【背景技術】
【０００２】
背景技術として、同一出願人により実開平７−９号公報に示されてある「アジテータを内装したホッパの下部に往復揺動可能に取付けられた散布管を有する揺動式肥料散布機において、トラクタＰＴＯ軸から動力が伝達される入力軸が前記散布管を往復揺動する追動部材と、この追動部材に対して前記アジテータの駆動とを直接連動する減速手段を具備させたことを特徴とした揺動式肥料散布機。また連動する減速手段がラチェット爪機構でありアジテータが回転する揺動式肥料散布機」が公知である。
【特許文献１】実開平７−９号公報
【発明の開示】
【発明が解決しようとする課題】
【０００３】
前記従来技術における揺動型肥料散布機は、構成が複雑で重量も重く、限られたスペースにコンパクトに配置することに問題があった。本発明はこのような問題を解決すべく、揺動型肥料散布機において、駆動部全体がコンパクトに構成されていてホッパ内の高水分の肥料や有機質肥料等を含む多種の肥料を確実に散布部へ供給でき、またホッパ内で複数の肥料を混合可能なアジテータを有し、構成が簡単な肥料散布機を提供する。
【課題を解決するための手段】
【０００４】
上記課題を解決するために、散布する肥料を収容するホッパを有し、このホッパの底部から散布筒基部側に肥料を落下させ、散布筒基部側を中心に散布筒を水平方向に往復揺動させ、落下した肥料を散布筒の他方端から投出して散布する揺動型肥料散布機において、前記散布筒の往復揺動装置は、トラクタからの動力により回転可能な水平方向の入力軸と、この入力軸に固着したフライホイールと、前記入力軸と直交する垂直方向を軸中心として水平方向に揺動運動をする揺動体と、この揺動体に枢支され、かつ前記フライホイールに偏心して設けたベアリングを介してフライホイールに支承された結合部材より成る回転運動を揺動運動に変換する装置で構成し、前記揺動体の揺動軸中心上に回転中心があって、肥料を収容するホッパ内に撹拌羽根を有したアジテータを駆動するアジテータ駆動シャフトを設け、このアジテータ駆動シャフトの下方外周に歯を設けたラチェットホイールに、前記揺動体側に設けたラチェット爪を係合させ作動させるラチェット機構を、ホッパからの肥料落下調節するシャッ板の下方にあって、シャッタ落下口より落下した肥料を散布筒に送り込む散布筒取付ベースのサブホッパ内に設けて揺動体とアジテータ駆動シャフトを連動させ、揺動体の揺動運動を一方向の回転運動に変えるとともにアジテータを前記入力軸の回転数より減速し回転させる。
【発明の効果】
【０００５】
揺動軸と撹拌羽根を有したアジテータの回転軸が同一軸線上に配置された構成により、駆動部全体がコンパクトに構成され、揺動運動を一方向の回転運動に変換してアジテータは回転される。揺動軸と一体にしてアジテータを揺動させる撹拌方法と異なり、アジテータが回転することでアジテータに設けられた撹拌羽根の作用効果も有効に働き、複数の肥料をホッパ内で混合することも可能で、高水分の肥料や有機肥料等の流れの悪い肥料においても、ホッパ内で空洞化現象を起こすこともなく、効率よく散布部へ供給できる。
【０００６】
また、揺動機構の振幅角度に対するラチェット機構の歯数を変更することでアジテータの回転速度を変更することが可能で、肥料散布機の使用目的に最適な回転速度設定ができ、ラチェット機構の歯と爪により確実に動力が伝達され、ホッパ内の肥料の撹拌・混合による大きい負荷に対する動力伝達も円滑に行われる。
【発明を実施するための最良の形態】
【０００７】
以下、本発明の実施形態を図面に基づいて説明する。図１は本発明を実施した肥料散布機の一部断面側面図、図２は揺動機構部の要部平面図、図３は揺動機構およびアジテータ駆動要部の側断面図、図４はラチェット機構要部断面平面図、図５はホッパを外した本発明の肥料散布機の平面図を示したものである。
【０００８】
図１，図２，図３において、５はフレームで前方部にロアピン５ａとトップブラケット５ｂを設けて、図示されていないがトラクタ三点リンク機構に装着できるように構成してある。
【０００９】
１はホッパで上方より肥料を投入できるように上方を開口し下方を狭くした逆円錐形状に構成し、フレーム５の上部に着脱自在に固定されている。
【００１０】
ホッパ１内の底部には肥料の落下量を調節するシャッター部２０が設けられて、シャッターレバー９を操作すると、ロッド９ｂで連結されたシャッター板３が回動し、肥料の落下量を調節できる。落下した肥料は散布部２１により散布される。
【００１１】
１０は入力軸で、図示されていないがトラクタＰＴＯ軸とユニバーサルジョイントで連結し、トラクタから回転動力を伝達されるものである。入力軸より伝達された回転動力はフライホイール１１を回転し、ホッパ１の中心部に設けられたヨークシャフト１４を揺動させる。
【００１２】
ヨークシャフト１４は入力軸中心線の延長上に直交して揺動中心線を有し、ヨークシャフト１４に固着されたヨークボス１３と、回転中心線をフライホイール１１の回転中心の外周部にオフセットさせかつその中心線が入力軸中心線とヨークシャフト中心線の交点を通るように設けたフォークアーム１２でフライホイールと連結連動させ、フォークアーム１２のヨークボス側は二又に形成させてヨークボス１３を水平方向で挟み込む様に構成してある。図２の揺動機構部の要部平面図で説明すると、入力軸１０が回転するとフライホイール１１にオフセットして取り付けられたフォークアーム１２の一方端が入力軸１０に対してα角度を有して回転し、他方端の二又に形成されたヨークボス側は左右にα角度往復揺動する。
【００１３】
ヨークシャフト１４が揺動すると、これに固着された散布筒取付ベース１７と、これに取り付けられた散布筒６が揺動し、散布筒基部に落下した肥料は遠心力で散布筒６の先端部に流れ、散布筒６の先端部に取り付けられた散布皿７より肥料を投出し散布する。
【００１４】
ヨークシャフト１４の上方には、ホッパ内のアジテータを駆動させるアジテータ駆動シャフト２２がヨークシャフト１４と同軸上に設けられ、このアジテータ駆動シャフト２２のヨークシャフト側であるホッパ底部のシャッター板下方のサブホッパ１７ａにはラチェット機構部２５が設けられ、アジテータ駆動シャフト２２にはラチェットホイール２２ａが、ヨークシャフトに固着された散布筒取付ベース１７にはラチェット爪２３が設けられて構成され、ヨークシャフト１４とアジテータ駆動シャフト２２はこのラチェット機構部２５により連動されている。
【００１５】
ヨークシャフトに固着された散布筒取付ベース１７が揺動すると、ラチェット機構部２５によりアジテータ駆動シャフト２２は揺動する一方向側にのみ間欠に回転する。これにより、アジテータ駆動シャフトに取り付けられたアジテータ１６が回転し、撹拌羽根２６の作用によりホッパ内の肥料を撹拌・混合する。
【００１６】
図４において、ヨークシャフト１４と同一軸芯に設けられたアジテータ駆動シャフト２２のラチェットホイール２２ａの外周には、ラチェット爪が係合する歯が設けられて、散布筒取付ベースに設けられたベアリングと固定板２に設けられたベアリングにより軸支されている。散布筒取付ベース１７側には回転支軸２３ａを支点に回動するラチェット爪２３が板バネ２４で押されてラチェットホイール２２ａの外周の歯に咬合されてある。
【００１７】
散布筒取付ベース１７が矢印ａ方向に回動すると、ラチェットホイール２２ａは矢印ａ方向に回動し、散布筒取付ベース１７が矢印ｂ方向に回動するとラチェット爪２３がラチェットホイール２２ａの歯を乗り越えラチェットホイール２２ａは回転しない。この動作を揺動により繰り返すことにより、ラチェットホイール２２ａは、矢印ａ方向にのみ間欠回転し、アジテータ駆動シャフト２２は一方向に回転する。また、揺動角度に対するラチェットホイールの歯数を変更することにより、入力軸１０の回転数に対するアジテータ駆動シャフト２２の回転比率を変えることができる。
【００１８】
図５において、１６はホッパ内に設けられたアジテータで、撹拌羽根２６を有してホッパ内の肥料を混合また撹拌する。ホッパ底部のシャッター部は、落下口を設けた固定板２がフレーム５に固定して取り付けられ、これに密着して落下口を設けたシャッター板３がアジテータの略回転中心部を回動中心として回動するようにブッシュ４により支持されて固定板２の下方側に設けられている。
【００１９】
シャッターレバー９をレバーガイド９ａに合せて操作するとシャッター板３が回動し、固定板落下口２ａとシャッター落下口３ａが重合し、重合度合により肥料の落下量を調節できる。落下した肥料は、散布筒６の揺動により散布皿７部より投出し散布される。
【図面の簡単な説明】
【００２０】
【図１】本発明を実施した肥料散布機の一部断面側面図
【図２】揺動機構部の要部平面図
【図３】揺動機構およびアジテータ駆動要部の側断面図
【図４】ラチェット機構要部断面平面図
【図５】ホッパを外した本発明の肥料散布機の平面図片の関係図
【符号の説明】
【００２１】
１      ホッパ
２      固定板
２ａ    固定板落下口
３      シャッター板
３ａ    シャッター落下口
４      ブッシュ
５      フレーム
５ａ    ロアピン
５ｂ    トップブラケット
６      散布筒
７      散布皿
９      シャッターレバー
９ａ    レバーガイド
９ｂ    ロッド
１０    入力軸
１１    フライホイール
１２    フォークアーム
１３    ヨークボス
１４    ヨークシャフト
１６    アジテータ
１７    散布筒取付ベース
１７ａ  サブホッパ
２０    シャッター部
２１    散布部
２２    アジテータ駆動シャフト
２２ａ  ラチェットホイール
２３    ラチェット爪
２３ａ  回動支軸
２４    板バネ
２５    ラチェット機構部
２６    撹拌羽根
【図１】
2005278493.tif 000003
【図２】
2005278493.tif 000004
【図３】
2005278493.tif 000005
【図４】
2005278493.tif 000006
【図５】
2005278493.tif 000007